(57)【要約】【課題】誤った払戻金の通知を防ぐこと。【解決手段】公営競技システム１は、センター装置１０と、管理装置４０と、画像出力装置５０とを有する。センター装置１０は、公営競技のレースの払戻金を含む払戻金データを送信する。画像出力装置５０は、受信した払戻金データを編集し、編集後データを管理装置４０へ送信する。管理装置４０は、受信した払戻金データに含まれる払戻金と、受信した編集後データに含まれる払戻金とを比較し、両者が一致する場合は、画像出力装置５０による払戻金の通知を許可する一方で、両者が一致しない場合は、画像出力装置５０による払戻金の通知を許可しない。【選択図】図１
2019061571.tif 000002
【特許請求の範囲】
【請求項１】
センター装置と、管理装置と、払戻金通知装置とを具備する公営競技システムであって、
前記センター装置は、公営競技のレースの払戻金を含む第一データを送信し、
前記払戻金通知装置は、受信した前記第一データを編集し、編集後の第二データを前記管理装置へ送信し、
前記管理装置は、受信した前記第一データに含まれる前記払戻金と、受信した前記第二データに含まれる払戻金とを比較し、両者が一致する場合は、前記払戻金通知装置による払戻金の通知を許可する一方で、両者が一致しない場合は、前記払戻金通知装置による払戻金の通知を許可しない、
公営競技システム。
【請求項２】
前記管理装置から払戻金の通知を許可されない前記払戻金通知装置は、他の払戻金通知装置による払戻金の通知の参照を促すメッセージを出力する、
請求項１に記載の公営競技システム。
【請求項３】
公営競技のレースの払戻金を含む第一データであって、センター装置が送信した前記第一データに含まれる前記払戻金と、前記第一データを受信する払戻金通知装置によって前記第一データが編集された後の第二データに含まれる払戻金とを比較し、両者が一致するか否かを判断する比較部と、
前記両者が一致する場合は、払戻金の通知を許可する許可通知を前記払戻金通知装置へ送信する一方で、前記両者が一致しない場合は、払戻金の通知を許可しない不許可通知を前記払戻金通知装置へ送信する通信部と、
を具備する管理装置。
【請求項４】
前記払戻金通知装置での前記第一データに対する編集方式に基づいて前記第二データを変換する変換部、をさらに具備し、
前記比較部は、前記変換部での変換後のデータに基づいて、前記両者が一致するか否かを判断する、
請求項３に記載の管理装置。
【発明の詳細な説明】
【技術分野】
【０００１】
本発明は、公営競技システム及び管理装置に関する。
【背景技術】
【０００２】
競馬、競輪、競艇及びオートレースの公営競技の投票券（以下では単に「投票券」と呼ぶことがある）を購入した者（以下では「投票者」と呼ぶことがある）は、各レースの払戻金を、本場や場外発売所に設置された画像出力装置、着順表示装置または音声案内装置により知ることが多い。
【０００３】
通常、各レースの払戻金はセンター装置で計算され、画像出力装置、着順表示装置及び音声案内装置の各装置は、センター装置で計算された払戻金を含むデータを受信し、受信したデータを各装置での編集方式に基づいて編集した上で払戻金を画像や音声で投票者に通知する。
【先行技術文献】
【特許文献】
【０００４】
【特許文献１】特開２０１５−２２２４６２号公報
【発明の概要】
【発明が解決しようとする課題】
【０００５】
しかし、画像出力装置、着順表示装置及び音声案内装置の各装置が、ソフトウェアのバグ等により、センター装置で計算された払戻金を誤って編集してしまい、誤った払戻金を投票者に通知してしまうことがあった。
【０００６】
開示の技術は、上記に鑑みてなされたものであって、誤った払戻金の通知を防ぐことを目的とする。
【課題を解決するための手段】
【０００７】
公営競技システムは、センター装置と、管理装置と、払戻金通知装置とを有する。前記センター装置は、公営競技のレースの払戻金を含む第一データを送信する。前記払戻金通知装置は、受信した前記第一データを編集し、編集後の第二データを前記管理装置へ送信する。前記管理装置は、受信した前記第一データに含まれる前記払戻金と、受信した前記第二データに含まれる払戻金とを比較し、両者が一致する場合は、前記払戻金通知装置による払戻金の通知を許可する一方で、両者が一致しない場合は、前記払戻金通知装置による払戻金の通知を許可しない。
【発明の効果】
【０００８】
開示の態様によれば、誤った払戻金の通知を防ぐことができる。
【図面の簡単な説明】
【０００９】
【図１】図１は、実施例１の公営競技システムの構成例を示す図である。
【図２】図２は、実施例１の管理装置の構成例を示す図である。
【図３】図３は、実施例１の管理装置の処理の説明に供するフローチャートである。
【図４】図４は、実施例１の払戻金通知装置の処理の説明に供するフローチャートである。
【図５】図５は、実施例１の公営競技システムの動作の説明に供する図である。
【図６】図６は、実施例１の公営競技システムの動作の説明に供する図である。
【図７】図７は、実施例１の公営競技システムの動作の説明に供する図である。
【図８】図８は、実施例１の公営競技システムの動作の説明に供する図である。
【図９】図９は、実施例１の公営競技システムの動作の説明に供する図である。
【図１０】図１０は、実施例１の公営競技システムの動作の説明に供する図である。
【図１１】図１１は、実施例２の管理装置のハードウェア構成例を示す図である。
【発明を実施するための形態】
【００１０】
以下に、本願の開示する公営競技システム及び管理装置の実施例を図面に基づいて説明する。なお、この実施例により本願の開示する公営競技システム及び管理装置が限定されるものではない。また、実施例において同一の構成、及び、同一の処理を行うステップには同一の符号を付す。また、以下では、公営競技の一例として競輪を挙げて説明する。しかし、開示の技術は、競馬、競艇及びオートレース等、競輪以外の公営競技における公営競技システムにも適用可能である。
【００１１】
［実施例１］
＜公営競技システムの構成＞
図１は、実施例１の公営競技システムの構成例を示す図である。図１において、公営競技システム１は、センター装置１０と、上位装置３０と、管理装置４０と、画像出力装置５０と、着順表示装置６０と、音声案内装置７０とを有する。センター装置１０と、上位装置３０と、管理装置４０とは、ネットワーク２０を介して接続されている。
【００１２】
センター装置１０は、競輪の各レース毎に、レースの払戻金を計算し、計算した払戻金を含むデータ（以下では「払戻金データ」と呼ぶことがある）をネットワーク２０を介して上位装置３０及び管理装置４０へ送信する。
【００１３】
上位装置３０は、センター装置１０から受信した払戻金データを、画像出力装置５０、着順表示装置６０及び音声案内装置７０へ配信する。
【００１４】
画像出力装置５０は、上位装置３０から受信した払戻金データを、画像出力装置５０に特有の編集方式（以下では「第一編集方式」と呼ぶことがある）に従って画像データに編集し、編集後の払戻金データである画像データ（以下では「第一編集後データ」と呼ぶことがある）を画像出力装置５０内に記憶するとともに、管理装置４０へ送信する。第一編集後データは、１レース毎に生成され、１レースのすべての賭式の払戻金を一覧形式によって表示可能な画像データである。また、画像出力装置５０は、管理装置４０から払戻金の通知を許可された場合は、各レース毎に、第一編集後データに基づいて、１レースのすべての賭式の払戻金を画面に一覧表示することによって払戻金を投票者に通知する。一方で、画像出力装置５０は、管理装置４０から払戻金の通知を許可されなかった場合は、払戻金の通知を停止する。
【００１５】
着順表示装置６０は、上位装置３０から受信した払戻金データを、着順表示装置６０に特有の編集方式（以下では「第二編集方式」と呼ぶことがある）に従って画像データに編集し、編集後の払戻金データである画像データ（以下では「第二編集後データ」と呼ぶことがある）を着順表示装置６０内に記憶するとともに、管理装置４０へ送信する。第二編集後データは、各レースの各賭式毎に生成され、各レースの各賭式の払戻金を個別に表示可能な画像データである。また、着順表示装置６０は、管理装置４０から払戻金の通知を許可された場合は、各レースの各賭式毎に、第二編集後データに基づいて、各賭式の払戻金を賭式毎に順に画面に表示することによって払戻金を投票者に通知する。一方で、着順表示装置６０は、管理装置４０から払戻金の通知を許可されなかった場合は、払戻金の通知を停止する。
【００１６】
音声案内装置７０は、上位装置３０から受信した払戻金データを、音声案内装置７０に特有の編集方式（以下では「第三編集方式」と呼ぶことがある）に従って音声データに編集し、編集後の払戻金データである音声データ（以下では「第三編集後データ」と呼ぶことがある）を音声案内装置７０内に記憶するとともに、管理装置４０へ送信する。第三編集後データは、１レース毎に生成され、１レースのすべての賭式の払戻金を音声によって案内可能な音声データである。また、音声案内装置７０は、管理装置４０から払戻金の通知を許可された場合は、各レース毎に、第三編集後データに基づいて、１レースのすべての賭式の払戻金を音声にて出力することによって払戻金を投票者に通知する。一方で、音声案内装置７０は、管理装置４０から払戻金の通知を許可されなかった場合は、払戻金の通知を停止する。
【００１７】
管理装置４０は、センター装置１０から払戻金データを受信する一方で、画像出力装置５０から第一編集後データを受信し、着順表示装置６０から第二編集後データを受信し、音声案内装置７０から第三編集後データを受信する。
【００１８】
管理装置４０は、払戻金データに含まれる払戻金と、第一編集後データに含まれる払戻金とを比較し、両者が一致する場合は、画像出力装置５０による払戻金の通知を許可する一方で、両者が一致しない場合は、画像出力装置５０による払戻金の通知を許可しない。
【００１９】
また、管理装置４０は、払戻金データに含まれる払戻金と、第二編集後データに含まれる払戻金とを比較し、両者が一致する場合は、着順表示装置６０による払戻金の通知を許可する一方で、両者が一致しない場合は、着順表示装置６０による払戻金の通知を許可しない。
【００２０】
また、管理装置４０は、払戻金データに含まれる払戻金と、第三編集後データに含まれる払戻金とを比較し、両者が一致する場合は、音声案内装置７０による払戻金の通知を許可する一方で、両者が一致しない場合は、音声案内装置７０による払戻金の通知を許可しない。
【００２１】
＜管理装置の構成＞
図２は、実施例１の管理装置の構成例を示す図である。図２において、管理装置４０は、第一通信部４１と、制御部４２と、記憶部４３と、第二通信部４４と、変換部４５と、比較部４６とを有する。
【００２２】
第一通信部４１はネットワーク２０に接続され、センター装置１０から受信した払戻金データを制御部４２へ出力する。制御部４２は、第一通信部４１から入力された払戻金データを記憶部４３へ出力する。記憶部４３は、制御部４２から入力された払戻金データを記憶する。
【００２３】
第二通信部４４は、画像出力装置５０、着順表示装置６０及び音声案内装置７０に接続され、画像出力装置５０から受信した第一編集後データ、着順表示装置６０から受信した第二編集後データ、及び、音声案内装置７０から受信した第三編集後データを制御部４２へ出力する。制御部４２は、第二通信部４４から入力された第一編集後データ、第二編集後データ及び第三編集後データを変換部４５へ出力する。
【００２４】
変換部４５には、第一編集方式、第二編集方式及び第三編集方式が予め設定されている。変換部４５は、第一編集方式に基づいて第一編集後データを変換し、変換後のデータ（以下では「第一変換後データ」と呼ぶことがある）を比較部４６へ出力する。また変換部４５は、第二編集方式に基づいて第二編集後データを変換し、変換後のデータ（以下では「第二変換後データ」と呼ぶことがある）を比較部４６へ出力する。また変換部４５は、第三編集方式に基づいて第三編集後データを変換し、変換後のデータ（以下では「第三変換後データ」と呼ぶことがある）を比較部４６へ出力する。
【００２５】
比較部４６は、記憶部４３に記憶されている払戻金データを記憶部４３から取得する。そして、比較部４６は、払戻金データに含まれる払戻金と、第一変換後データに含まれる払戻金とを比較して両者が一致するか否かを判断し、判断結果（以下では「第一判断結果」と呼ぶことがある）を制御部４２へ出力する。また比較部４６は、払戻金データに含まれる払戻金と、第二変換後データに含まれる払戻金とを比較して両者が一致するか否かを判断し、判断結果（以下では「第二判断結果」と呼ぶことがある）を制御部４２へ出力する。また比較部４６は、払戻金データに含まれる払戻金と、第三変換後データに含まれる払戻金とを比較して両者が一致するか否かを判断し、判断結果（以下では「第三判断結果」と呼ぶことがある）を制御部４２へ出力する。
【００２６】
制御部４２は、第一判断結果が「一致」を示す場合は、払戻金の通知を画像出力装置５０に許可する許可通知（以下では「第一許可通知」と呼ぶことがある）を生成し、生成した第一許可通知を第二通信部４４へ出力する。一方で、制御部４２は、第一判断結果が「不一致」を示す場合は、払戻金の通知を画像出力装置５０に許可しない不許可通知（以下では「第一不許可通知」と呼ぶことがある）を生成し、生成した第一不許可通知を第二通信部４４へ出力する。
【００２７】
また制御部４２は、第二判断結果が「一致」を示す場合は、払戻金の通知を着順表示装置６０に許可する許可通知（以下では「第二許可通知」と呼ぶことがある）を生成し、生成した第二許可通知を第二通信部４４へ出力する。一方で、制御部４２は、第二判断結果が「不一致」を示す場合は、払戻金の通知を着順表示装置６０に許可しない不許可通知（以下では「第二不許可通知」と呼ぶことがある）を生成し、生成した第二不許可通知を第二通信部４４へ出力する。
【００２８】
また制御部４２は、第三判断結果が「一致」を示す場合は、払戻金の通知を音声案内装置７０に許可する許可通知（以下では「第三許可通知」と呼ぶことがある）を生成し、生成した第三許可通知を第二通信部４４へ出力する。一方で、制御部４２は、第三判断結果が「不一致」を示す場合は、払戻金の通知を音声案内装置７０に許可しない不許可通知（以下では「第三不許可通知」と呼ぶことがある）を生成し、生成した第三不許可通知を第二通信部４４へ出力する。
【００２９】
第二通信部４４は、第一許可通知または第一不許可通知を画像出力装置５０へ送信し、第二許可通知または第二不許可通知を着順表示装置６０へ送信し、第三許可通知または第三不許可通知を音声案内装置７０へ送信する。
【００３０】
＜管理装置の処理＞
図３は、実施例１の管理装置の処理の説明に供するフローチャートである。以下では、第一編集後データ、第二編集後データ及び第三編集後データを「編集後データ」と総称し、第一編集方式、第二編集方式及び第三編集方式を「特有編集方式」と総称し、第一変換後データ、第二変換後データ及び第三変換後データを「変換後データ」と総称することがある。また以下では、第一許可通知、第二許可通知及び第三許可通知を「許可通知」と総称し、第一不許可通知、第二不許可通知及び第三不許可通知を「不許可通知」と総称することがある。また以下では、画像出力装置５０、着順表示装置６０及び音声案内装置７０を「払戻金通知装置」と総称することがある。
【００３１】
図３において、管理装置４０は、払戻金データの受信を待ち（ステップＳ１０１：Ｎｏ）、払戻金データを受信すると（ステップＳ１０１：Ｙｅｓ）、受信した払戻金データを記憶する（ステップＳ１０３）。
【００３２】
次いで、管理装置４０は、編集後データの受信を待ち（ステップＳ１０５：Ｎｏ）、編集後データを受信すると（ステップＳ１０５：Ｙｅｓ）、編集後データを特集編集方式に基づいて変換して変換後データを生成する（ステップＳ１０７）。
【００３３】
次いで、管理装置４０は、払戻金データに含まれる払戻金と、変換後データに含まれる払戻金とを比較し（ステップＳ１０９）、両者が一致するか否かを判断する（ステップＳ１１１）。
【００３４】
払戻金データに含まれる払戻金と、変換後データに含まれる払戻金とが一致する場合は（ステップＳ１１１：Ｙｅｓ）、管理装置４０は、許可通知を生成し、対象とする払戻金通知装置へ許可通知を送信する（ステップＳ１１３）。
【００３５】
一方で、払戻金データに含まれる払戻金と、変換後データに含まれる払戻金とが一致しない場合は（ステップＳ１１１：Ｎｏ）、管理装置４０は、不許可通知を生成し、対象とする払戻金通知装置へ不許可通知を送信する（ステップＳ１１５）。
【００３６】
＜払戻金通知装置の処理＞
図４は、実施例１の払戻金通知装置の処理の説明に供するフローチャートである。
【００３７】
図４において、払戻金通知装置は、払戻金データの受信を待ち（ステップＳ２０１：Ｎｏ）、払戻金データを受信すると（ステップＳ２０１：Ｙｅｓ）、受信した払戻金データを特有編集方式に従って編集して編集後データを生成する（ステップＳ２０３）。
【００３８】
次いで、払戻金通知装置は、編集後データを管理装置４０へ送信する（ステップＳ２０５）。
【００３９】
次いで、払戻金通知装置は、管理装置４０での許可または不許可の判断結果、つまり、許可通知または不許可通知の受信を待ち（ステップＳ２０７：Ｎｏ）、許可通知または不許可通知を受信すると（ステップＳ２０７：Ｙｅｓ）、それらの通知に基づいて、払戻金の通知の許可または不許可を判断する（ステップＳ２０９）。
【００４０】
管理装置４０から受信された通知が許可通知である場合は（ステップＳ２０９：Ｙｅｓ）、払戻金通知装置は、編集後データに基づいて払戻金を投票者に通知する（ステップＳ２１１）。
【００４１】
一方で、管理装置４０から受信された通知が不許可通知である場合は（ステップＳ２０９：Ｎｏ）、払戻金通知装置は、払戻金の投票者への通知を停止し、他の払戻金通知装置による払戻金の通知の参照を投票者に促すメッセージ（以下では「勧奨メッセージ」と呼ぶことがある）を出力する（ステップＳ２１３）。
【００４２】
＜公営競技システムの動作＞
図５〜図１０は、実施例１の公営競技システムの動作の説明に供する図である。
【００４３】
図５には、センター装置１０によって生成される払戻金データの一例を示す。図５に示す払戻金データには、例えば、Ａ競馬場における第１２レースの払戻金がテキストデータとして含まれ、賭式が「２枠複」で組番が「１−２」の払戻金が「１２０円」となっている。また、他の賭式の払戻金については、図５の通りとなっている。
【００４４】
図６には、画像出力装置５０によって生成される第一編集後データの一例を示す。図６に示す第一編集後データは、図５に示す払戻金データに基づいて生成されたものであり、図６に示す例では、賭式、組番及び払戻金は、図５とすべて一致している。
【００４５】
管理装置４０は、センター装置１０から図５に示す払戻金データを受信する一方で、画像出力装置５０から図６に示す第一編集後データを受信する。管理装置４０は、払戻金データ（図５）に含まれるすべての払戻金と、第一編集後データ（図６）に含まれるすべての払戻金とを、賭式毎及び組番毎に比較し、すべての払戻金が一致している場合は第一許可通知を画像出力装置５０へ送信する一方で、何れかの払戻金が一致していない場合は第一不許可通知を画像出力装置５０へ送信する。
【００４６】
管理装置４０では、以下のようにして第一編集後データから第一変換後データへの変換が行われることにより、払戻金データに含まれる払戻金と第一編集後データに含まれる払戻金との比較が行われる。
【００４７】
すなわち、管理装置４０の変換部４５には、図７に示す部品データ群（以下では「第一部品データ群」と呼ぶことがある）と、図８に示す部品データ群（以下では「第二部品データ群」と呼ぶことがある）とが予め設定されている。第一部品データ群（図７）は、組番を表す１〜９の数字の画像データを含み、第二部品データ群（図８）は、払戻金を表す０〜９の数字の画像データを含む。
【００４８】
また、変換部４５には、図９に示す座標テーブルが予め設定されている。座標テーブル（図９）には、第一編集後データにおける各数字の配置位置が賭式毎に表されており、組番を構成する各数字の配置位置と、払戻金を構成する各数字の配置位置とが表されている。つまり、座標テーブル（図９）は、第一編集方式を示している。
【００４９】
変換部４５は、座標テーブル（図９）を参照し、第一編集後データにおいて、賭式毎に、組番の各数字の配置位置（以下では「組番配置位置」と呼ぶことがある）と、払戻金の各数字の配置位置（以下では「払戻金配置位置」と呼ぶことがある）とを特定する。次いで、変換部４５は、組番配置位置に従って第一編集後データから組番の各数字の画像を抽出し、抽出した画像が第一部品データ群の何れの画像データに一致するか判断し、一致した画像データの数字を組番の数字として決定する。また、変換部４５は、払戻金配置位置に従って第一編集後データから払戻金の各数字の画像を抽出し、抽出した画像が第二部品データ群の何れの画像データに一致するか判断し、一致した画像データの数字を払戻金の数字として決定する。このようにして、変換部４５は、座標テーブルにより示される第一編集方式に基づいて、画像データである第一編集後データを、組番の数字を表すテキストデータ及び払戻金の数字を表すテキストデータ（つまり、第一変換後データ）に変換する。
【００５０】
そして、管理装置４０の比較部４６は、テキストデータである払戻金データに含まれる払戻金と、テキストデータである第一変換後データに含まれる払戻金とを賭式毎に比較して、両者が一致するか否かを判断する。
【００５１】
なお、第二編集後データから第二変換後データへの変換は、図９に示す座標テーブルに代えて、図９に示すＹ軸の座標値がすべて同じ値に設定された座標テーブルを用いて、第一編集後データから第一変換後データへの変換と同様にして行われる。
【００５２】
また、管理装置４０は、センター装置１０からテキストデータである払戻金データ（図５）を受信する一方で、音声案内装置７０から音声データである第三編集後データを受信する。管理装置４０は、払戻金データ（図５）に含まれるすべての払戻金と、第三編集後データに含まれるすべての払戻金とを、賭式毎及び組番毎に比較し、すべての払戻金が一致している場合は第三許可通知を音声案内装置７０へ送信する一方で、何れかの払戻金が一致していない場合は第三不許可通知を音声案内装置７０へ送信する。
【００５３】
管理装置４０では、以下のようにして第三編集後データから第三変換後データへの変換が行われることにより、払戻金データに含まれる払戻金と第三編集後データに含まれる払戻金との比較が行われる。
【００５４】
すなわち、管理装置４０の変換部４５は、第三編集方式に基づいて、音声データである第三編集後データをテキストデータである第三変換後データへ変換する。第三編集後データから第三変換後データへの変換は、例えば、既存の音声認識技術を用いて行われる。
【００５５】
そして、管理装置４０の比較部４６は、テキストデータである払戻金データに含まれる払戻金と、テキストデータである第三変換後データに含まれる払戻金とを賭式毎に比較して、両者が一致するか否かを判断する。
【００５６】
また例えば、「３連単」の賭式について管理装置４０から第二不許可通知を受信した着順表示装置６０は、図１０に示すようなメッセージＭ１を勧奨メッセージとして表示する。
【００５７】
以上のように、実施例１では、公営競技システム１は、センター装置１０と、管理装置４０と、払戻金通知装置とを有する。センター装置１０は、公営競技のレースの払戻金を含む払戻金データを送信する。払戻金通知装置は、受信した払戻金データを編集し、編集後データを管理装置４０へ送信する。管理装置４０は、受信した払戻金データに含まれる払戻金と、受信した編集後データに含まれる払戻金とを比較し、両者が一致する場合は、払戻金通知装置による払戻金の通知を許可する一方で、両者が一致しない場合は、払戻金通知装置による払戻金の通知を許可しない。
【００５８】
また、実施例１では、管理装置４０は、比較部４６と、第二通信部４４とを有する。比較部４６は、払戻金データに含まれる払戻金と編集後データに含まれる払戻金とを比較し、両者が一致するか否かを判断する。第二通信部４４は、両者が一致する場合は許可通知を払戻金通知装置へ送信する一方で、両者が一致しない場合は不許可通知を払戻金通知装置へ送信する。
【００５９】
こうすることで、払戻金通知装置で編集された編集後データに含まれる払戻金が、センター装置１０で生成された払戻金データに含まれる正しい払戻金と一致しない場合には、払戻金通知装置による払戻金の投票者への通知が停止されるため、誤った払戻金の通知を防ぐことができる。
【００６０】
また、実施例１では、管理装置４０から払戻金の通知を許可されない払戻金通知装置は勧奨メッセージを出力する。
【００６１】
こうすることで、投票者は、他の払戻金通知装置を参照することによって正しい払戻金を知ることができる。
【００６２】
また、実施例１では、管理装置４０は、変換部４５を有する。変換部４５は、払戻金通知装置での払戻金データに対する編集方式に基づいて編集後データを変換する。比較部４６は、変換後データに基づいて、払戻金データに含まれる払戻金と編集後データに含まれる払戻金とが一致するか否かを判断する。
【００６３】
こうすることで、払戻金データに含まれる払戻金と編集後データに含まれる払戻金とが一致するか否かの判断を正確に行うことができる。
【００６４】
［実施例２］
＜管理装置のハードウェア構成＞
管理装置４０は、例えば、次のようなハードウェア構成により実現することができる。図１１は、実施例２の管理装置のハードウェア構成例を示す図である。図１１において、管理装置４０は、ハードウェアの構成要素として、プロセッサ４０ａと、メモリ４０ｂと、ネットワークインタフェースモジュール４０ｃとを有する。プロセッサ４０ａの一例として、ＣＰＵ（Central  Processing  Unit）、ＤＳＰ（Digital  Signal  Processor）、ＦＰＧＡ（Field  Programmable  Gate  Array）等が挙げられる。メモリ４０ｂの一例として、ＳＤＲＡＭ（Synchronous  Dynamic  Random  Access  Memory）等のＲＡＭ（Random  Access  Memory），ＲＯＭ（Read  Only  Memory）、フラッシュメモリ等が挙げられる。
【００６５】
制御部４２、変換部４５及び比較部４６は、例えばプロセッサ４０ａによって実現される。記憶部４３は、例えばメモリ４０ｂによって実現される。第一通信部４１及び第二通信部４４は、例えばネットワークインタフェースモジュール４０ｃによって実現される。
【００６６】
また、管理装置４０での上記説明における各処理は、各処理に対応するプログラムをプロセッサ４０ａに実行させることによって実現しても良い。例えば、上記説明における各処理に対応するプログラムがメモリ４０ｂに記憶され、プログラムがプロセッサ４０ａによってメモリ４０ｂから読み出されて実行されても良い。
【符号の説明】
【００６７】
１  公営競技システム
４０  管理装置
４２  制御部
４５  変換部
４６  比較部
５０  画像出力装置
６０  着順表示装置
７０  音声案内装置
【図１】
2019061571.tif 000003
【図２】
2019061571.tif 000004
【図３】
2019061571.tif 000005
【図４】
2019061571.tif 000006
【図５】
2019061571.tif 000007
【図６】
2019061571.tif 000008
【図７】
2019061571.tif 000009
【図８】
2019061571.tif 000010
【図９】
2019061571.tif 000011
【図１０】
2019061571.tif 000012
【図１１】
2019061571.tif 000013